(57)【要約】      （修正有）【課題】グリーン上、又はカップインしたゴルフボールを体を折り曲げることなく、立ち姿勢の状態で拾い上げる事が出来るゴルフボールキャッチャーを提供する。【解決手段】ゴルフボールの側面方向より挟み部Ｅを押圧し、ゴルフボールを把持するものであって、一方側に伸縮自在な軸部Ｃを備え他端側にゴルフボールを挟むための挟み部Ｅを備えてなり、ゴルフボール挟み部Ｅは円形状の一部が切断された二股形状をなし、ゴルフボールの外径より小さく形成してなる。【選択図】図１
0003205699.tif 000002
【実用新案登録請求の範囲】
【請求項１】
ゴルフボールの側面方向からゴルフボールを挟んで拾い上げるためのゴルフボールキャッチャーであって、一方側にプレイヤーが握る握り部を備え、他端側にゴルフボールを挟むための挟み部とで構成されており、この挟み部は円形状の一部が切除された二股形状をなしており、この二股部はゴルフボールの外径より小さく形成されている事を特徴とするゴルフボールキャッチャー。
【請求項２】
二股部の挟み部はゴルフボールの中央部分で確実に停止するように断面形状がＬ字型になっている事を特徴とする請求項１に記載するゴルフボールキャッチャー。
【請求項３】
プレイヤーが握る握り部は伸縮自在な軸部を有する事で使用時と不使用時で軸部の長さが変化する事が可能な事を特徴とする請求項１に記載するゴルフボールキャッチャー。
【請求項４】
前記ゴルフボールキャッチャーは不使用時は全長が短くなり、衣服のポケットに収納可能な形状になる事を特徴とする請求項１に記載するゴルフボールキャッチャー。
【考案の詳細な説明】
【技術分野】
【０００１】  本考案はグリーン上のカップの中からボールを取り出す際にプレイヤーが足を折り曲げて身体をかがめることなく、立ち姿勢の状態で容易に拾い上げることが出来るゴルフボールキャッチャーに関するものである。
【背景技術】
【０００２】  従来のゴルフボールキャッチャーはクラブの先端にはめ込んで使用するため脱着に手間がかかるという問題があった。又、他のゴルフボールキャッチャーはゴルフクラブと同程度の長さを持つ棒材の先端にボール把持部を設置しているためにプレイ中にクラブと一緒に持ち歩く必要があり、余分な物を持ち歩くという不便さがあった。
さらに上記従来のゴルフボールキャッチャーはゴルフボールの上方より押し付けゴルフボールを把持するものであった（実用新案登録第３０９８７３４号公報など）。
その結果、芝生を押し付け痛める。池に落ちたボールや斜面に落ちたボールを掬い取る事が難しいという課題があった。
【考案の概要】
【考案が解決しようとする課題】
【０００３】  本考案は以上のような従来の欠点を解消するゴルフボールキャッチャーを提供する事を目的としているが、考案のゴルフボールキャッチャーの本来の目的は足腰の弱い人や膝関節に痛みを感じる人達がボールをカップの中から拾い上げる時に苦痛を感じることなくゴルフボールを拾い上げる事が出来、楽しくプレイ出来る事を狙いとしている。
【課題を解決するための手段】
【０００４】  本考案のゴルフボールキャッチャーはズボンのポケットに入れる事が可能な大きさであり、又、ズボンのベルトに吊るす事が可能なホルダーを用意し、そこに収納することで持ち運びに不便さを感じさせない形態をとっている。【０００５】  本考案のゴルフボールキャッチャーは伸縮自在な軸の先端にゴルフボールを側面方向から把持するゴルフボール挟み部を備えているので、プレイヤーは足腰を曲げることなく立ったままの姿勢で上体をパタープレイする時と同じ姿勢を保ちながら、カップインしたボールを拾い上げる事が出来る。【０００６】  さらに本考案のゴルフボールキャッチャーを構成するゴルフボール挟み部はゴルフボールよりは少し小さい径の円形状を有し、その先端部分はカットされており、所謂、二股状になっているためにその部分がゴルフボールに接すると二股部分が少し開き、ゴルフボールを挟み込む形になり、軽い力でボールを拾い上げる事が出来る。
【考案の効果】
【０００７】  上述の通り、伸縮自在な軸部を有することで、収納時はコンパクトな形になり、持ち運びが便利で、かつ、使用時は軸部を長くして使用する事で、足腰を曲げることなく容易にゴルフボールをカップの中から取り出すことが出来るので、腰痛や膝関節に痛みを感じている人達にその痛みを感じさせることなく、楽しくプレイが出来る効果が期待出来る。【０００８】  又、プレイ中のボールがＯＢとなり、池や斜面に落下した場合にも危険を感じることなくそのボール拾い上げる事が可能である。勿論、グリーン上のゴルフボールを靴の側面で止めながら挟み部をゴルフボールの側面方向から押圧して掬い上げる事が出来る。
【図面の簡単な説明】
【０００９】
【図１】本考案の一実施例におけるゴルフボールキャッチャーの正面図である。
【図２】図１のＡＡ断面図である。
【図３】ビスＡ
【図４】バネ座金
【図５】ナット
【図６】ビスＢ
【図７】ゴルフボールキャッチャーの斜視図である。
【図８】ゴルフボールキャッチャー軸部ガイドの斜視図である。
【図９】図１を構成する指示棒の外観図である。
【図１０】指示棒の先端部の加工の斜視図である。
【図１１】ゴルフ場のグリーンのティカップ（Ａ）にゴルフボール（Ｇ）が入っている状態図である。
【図１２】アルミ板を使用して製作した試作品の指示棒収納時の状態を示す写真である。
【図１３】伸縮自在な軸部（Ｃ）を伸ばし、使用する状態を示す写真である。
【図１４】本考案品をゴルフ場のティカップに見立てたガラス瓶にゴルフボール（Ｇ）を入れ、そこにゴルフボールキャッチャー（Ｅ）を挿入した状態の写真である。
【図１５】ゴルフボールキャッチャー（Ｅ）がゴルフボール（Ｇ）を把持するためにゴルフボール（Ｇ）に接触した状態の写真である。
【図１６】ゴルフボールキャッチャー（Ｅ）がゴルフボール（Ｇ）を完全に把持し、持ち上げられる状態になった事を示す状態の写真である。
【図１７】図１６の状態になった時のプレイヤーの立ち姿を示す状態の写真である。
【図１８】樹脂成形による一体型のゴルフボールキャッチャーの正面図である。
【図１９】図１８のＢＢ断面図である。
【図２０】ゴルフボールキャッチャー（Ｅ）をズボンのベルトに吊るすためのホルダー（Ｉ）の一実施例の斜視図である。
【考案を実施するための形態】
【実施例】
【００１０】  以下、図１〜図１１を用いて本考案の一実施例のゴルフボールキャッチャー１００を説明する。
本考案の特徴の一つである伸縮自在の軸部を構成するのは、市販されている指示棒やポータブルラジオ等に使用されているアンテナ部材を使用する事にしており、実施例としては指示棒（Ｃ）（図９）を使用した場合を説明する。【００１１】  指示棒（Ｃ）の先端部分（Ｄ）はゴルフボールキャッチャーを取り付けるための平面部（Ｄ１）と取り付け用のネジ穴（Ｄ２）を機械加工してなる。【００１２】  ゴルフボールキャッチャー（Ｅ）（図７）は薄板のステンレス鋼板をプレス成型して製作する。【００１３】  製作に当たってはゴルフボール（Ｇ）を把持する二股部位（３）は断面形状をＬ型とし、その長辺部（３ａ）はゴルフボール（Ｇ）の中央部分を把持するために必要な幅を有すると共に、その内径寸法はゴルフボール（Ｇ）の直径よりも少し小さめの直径に設定している。【００１４】  次に、ゴルフボール（Ｇ）を把持する二股部位（３）のＬ型形状のもう一方の短辺部（３ｂ）は長辺部（３ａ）よりも短く、数ｍｍの長さとし、長辺部（３ａ）をゴルフボール（Ｇ）の中央部分に確実に停止させるためにその内径部（４）は長辺部（３ａ）の内径寸法より数ｍｍ小さい寸法に成形されている。【００１５】  二股部位（３）の開口部（５）はゴルフボール（Ｇ）がカップ（Ａ）の中央部のポール差し込み用の穴（Ｂ）に入った状態（図１１）にあってもゴルフボール（Ｇ）を容易に掬いだせるのに必要な幅に設定している。【００１６】  さらに、二股部位（３）を伸縮自在の軸部（Ｃ）の先端部（Ｄ）に取り付けるために必要な取り付け座面（８）を設けており、その取り付け座面（８）と二股部位（３）を  繋ぐ側壁（６）とその側壁（６）を補強のために繋ぐ補強壁（７）とで構成されている。【００１７】  さらに、二股部位（３）の取り付け座面（８）には伸縮自在の軸部（Ｃ）の先端部（Ｄ）に二股部位（３）を取り付けるための穴（８ｂ）とゴルフボールキャッチャー（Ｅ）の収納時に二股部位（３）と伸縮自在の軸部（Ｃ）との結合を強固にするために必  要な軸部ガイド（Ｆ）を取り付けるための穴（８ａ）が設けられている。【００１８】  軸部ガイド（Ｆ）もゴルフボールキャッチャー（Ｅ）同様に薄板のアルミニウム板またはステンレス鋼板をプレス成型して製作する。【００１９】  軸部ガイド（Ｆ）は軸部ガイド部（９）とゴルフボールキャッチャー（Ｅ）の取り付け部（１０）によって構成されている。【００２０】  軸部ガイド部（９）の軸部形状（９ａ）は略Ｃ型の形状をしており、Ｃ型の開口部分（９ｂ）はゴルフボールキャッチャーの開口部分の方向を示すマークとして利用するものであり、又、軸部ガイド部（９）の内側寸法は伸縮自在な軸部としている指示棒（Ｃ）の外形寸法にフィットしており、その形状は丸型でも角型でも構わないが、ここでは角型形状を示している。【００２１】  軸受ガイド部（９）の片側部分はゴルフボールキャッチャー（Ｅ）を取り付けるための受け座部分（１０）を有しており、その形状は軸部ガイド部（９）に対し、直角に曲げられており、そこにはゴルフボールキャッチャー（Ｅ）を取り付けるための穴（１０ａ）が設けられている。【００２２】  ゴルフボールキャッチャー（Ｅ）と軸部ガイド部（Ｆ）を組み付ける時は、ゴルフボ��ルキャッチャー（Ｅ）の穴（８ａ）と（８ｂ）を軸部ガイド部の穴（１０ａ）と（１０ｂ）に夫々、合わせ、そこにビスａ（１１）、ナット（１２）、バネ座金（１３）を使用して組み付ける。【００２３】  次に組み付けが終わった後、その軸部ガイド部（９）に伸縮自在な軸部（Ｃ）を挿入し、ゴルフボールキャッチャー（Ｅ）の上面からビスｂ（１４）、バネ座金（１３）を使用して組み付けることで、ゴルフボールキャッチャーは完成する。【００２４】  このゴルフボールキャッチャー（Ｅ）及び軸部ガイド（Ｆ）は合成樹脂材を使用して一体成型する事も可能であるので、以下にその実施例について説明する。【００２５】  以下、図１８、図１９を用いて本考案の一実施例のゴルフボールキャッチャー２００を説明する。
伸縮自在な軸部（指示棒）（Ｃ）の先端部分（Ｄ）を樹脂成形機の型の中に入れ、ゴルフボールキャッチャー（Ｅ）と軸部ガイド（Ｆ）を一体型にしたゴルフボールキャッチャー（Ｈ）を型成形することで、伸縮自在な軸部（指示棒）（Ｃ）の先端部分（Ｄ）とゴルフボールキャッチャー（Ｈ）が一体となり、固定される事で完成する。【００２６】  次に図２０を用いてホルダー（Ｉ）について説明する。【００２７】  ホルダー（Ｉ）は本体（１５）と軸部挿入部（１６）の２部品で構成され、合成樹脂、又は皮革材で製作され、図２０に示すように接着によって一体化されている。【００２８】  ホルダー（Ｉ）の使用方法は以下の通りである。
まず、本体（１５）のベルト挿入部（１７）をズボンのベルトに通し、固定する。【００２９】  次にゴルフボールキャッチャー（Ｅ）の軸部（Ｃ）をホルダー（１５）の軸部挿入部（１６）の軸部挿入穴（１８）に差し込み、ゴルフボールキャッチャー（Ｅ）の軸部ガイド部（Ｆ）の端部がホルダー（Ｉ）の軸部挿入穴上辺部（１９）に当たり、ゴルフボールキャッチャー（Ｅ）は固定される。【００３０】  本考案のゴルフボールキャッチャー（Ｅ）を使用する時は、伸縮自在な軸部（Ｃ）を収縮させた状態でズボンのポケットに収納するか、又はこのゴルフボールキャッチャー（Ｅ）を収納可能なケースを新たに設け、それをズボンのベルトに取り付けて、そこに収納することで、ゴルフプレイを開始する事になる。【００３１】  ティーグラウンドでパタープレイが終わり、カップインしたボールを取り出す時にプレイヤーはこのゴルフボールキャッチャー（Ｅ）をズボンのポケット又は、収納可能なケースから取り出し、伸縮自在な軸部（Ｃ）を伸ばし、軸部ガイド（Ｆ）の開口部（９ｂ）をカップインしているボール（Ｇ）に向けてゴルフボールキャッチャー（Ｅ）をカップ（Ａ）へ入れ、ゴルフボール（Ｇ）の後ろ側からゴルフボールキャッチャー（Ｅ）をゴルフボール（Ｇ）に押し付けるようにすると、ゴルフボールキャッチャー（Ｅ）はスムーズにゴルフボール（Ｇ）に入り、ゴルフボール（Ｇ）の中央部分にゴルフボールキャッチャー（Ｅ）が来て、停止したならば、そのままの状態でゴルフボール（Ｇ）をカップ（Ａ）から取り出せる事が出来る。【００３２】  ゴルフボール（Ｇ）をゴルフボールキャッチャー（Ｅ）から取り外したら、ゴルフボールキャッチャー（Ｅ）の伸縮自在な軸部（Ｃ）を収縮させ、ゴルフボールキャッチャー（Ｅ）をズボンのポケット、又は収納可能なケースに収納して、次のコースへと進んでいくことになる。【００３３】  次に本考案の試作品を製作し、その効果確認をした写真を基に説明する。
図１２はアルミ板を使用して製作した試作品の収納時の状態図である。【００３４】  図１３は伸縮自在な軸部（Ｃ）を伸ばし、使用する状態を示す図である。【００３５】  図１４は本考案品をゴルフ場のティカップに見立てたガラス瓶にゴルフボール（Ｇ）を入れ、そこにゴルフボールキャッチャー（Ｅ）を挿入した状態図である。【００３６】  図１５はゴルフボールキャッチャー（Ｅ）がゴルフボール（Ｇ）を把持するためにゴルフボール（Ｇ）に接触した状態図である。【００３７】  図１６はゴルフボールキャッチャー（Ｅ）がゴルフボール（Ｇ）を完全に把持し、持ち上げられる状態になった事を示す状態図である。【００３８】  図１７は上記の状態になった時のプレイヤーの立ち姿を示す状態図であり、腰及び膝に何等の負担がかかっていない事を示している事が理解出来る。
【産業上の利用可能性】
【００３９】  ゴルフ用品生産業界に貢献出来る。
【符号の説明】
【００４０】  Ａ      カップ
Ｂ      中央部のポール差し込み用の穴
Ｃ      指示棒
Ｄ      先端部分
Ｄ１    平面部
Ｄ２    取り付け用のネジ穴
Ｅ      ゴルフボールキャッチャー（挟み部）
Ｆ      軸部ガイド
Ｇ      ゴルフボール
Ｈ      一体成形したゴルフボールキャッチャー（挟み部）
Ｉ      ホルダー
３      二股部位
３ａ    長辺部
３ｂ    短辺部
４      内径部
５      開口部
６      側壁
７      補強壁
８      取り付け座面
８ａ    取り付けるための穴
８ｂ    取り付けるための穴
９      軸部ガイド部
９ａ    軸部形状
９ｂ    Ｃ型の開口部分
１０    受け座部分
１０ａ  取り付けるための穴
１１    ビスａ
１２    ナット
１３    バネ座金
１４    ビスｂ
１５    ホルダー本体
１６    軸部挿入部
１７    ベルト挿入部
１８    軸部挿入穴
１９    軸部挿入穴上辺部
１００    ゴルフボールキャッチャー
２００    ゴルフボールキャッチャー
【図１】
0003205699.tif 000003
【図２】
0003205699.tif 000004
【図３】
0003205699.tif 000005
【図４】
0003205699.tif 000006
【図５】
0003205699.tif 000007
【図６】
0003205699.tif 000008
【図７】
0003205699.tif 000009
【図８】
0003205699.tif 000010
【図９】
0003205699.tif 000011
【図１０】
0003205699.tif 000012
【図１１】
0003205699.tif 000013
【図１２】
0003205699.tif 000014
【図１３】
0003205699.tif 000015
【図１４】
0003205699.tif 000016
【図１５】
0003205699.tif 000017
【図１６】
0003205699.tif 000018
【図１７】
0003205699.tif 000019
【図１８】
0003205699.tif 000020
【図１９】
0003205699.tif 000021
【図２０】
0003205699.tif 000022